(57)【要約】【課題】画像表示装置に表示された文字列を読み上げて音声出力するテレビ放送受信装置及びプログラムを提供する。【解決手段】表示部１８に文字列を表示するテレビ放送受信装置１において、ユーザに、表示部１８に表示された文字列の中から、所望の文字列を選択させるリモコン操作部２２と、制御部２３がユーザによるリモコン操作部２２の読み上げ開始スイッチの操作を検出すると、リモコン操作部２２で選択された文字列に係る文字信号を音声信号に変換して出力する音声合成処理部１９を備える。【選択図】図１
2010087903.tif 000002
【特許請求の範囲】
【請求項１】
画像表示装置に文字列を表示するテレビ放送受信装置において、
前記画像表示装置に表示された文字列の中から、所望の文字列を選択させる文字列選択手段と、
前記文字列選択手段で選択された文字列を読み上げる文字列読み上げ手段を備える
ことを特徴とするテレビ放送受信装置。
【請求項２】
前記画像表示装置は、表示画面を複数の区画に分割して、前記複数の区画にそれぞれ文字列を表示し、
前記文字列選択手段は、前記画像表示装置の前記複数の区画の中から、所望の区画をユーザに選択させ、
前記文字列読み上げ手段は、前記文字列選択手段で選択された区画に表示された文字列を読み上げる
ことを特徴とする請求項１に記載のテレビ放送受信装置。
【請求項３】
読み上げ開始スイッチを備えて、
前記文字列読み上げ手段は、前記読み上げ開始スイッチが操作された場合に、前記文字列の読み上げを開始する
ことを特徴とする請求項１に記載のテレビ放送受信装置。
【請求項４】
前記文字列読み上げ手段は、前記文字列を読み上げている間に、前記読み上げ開始スイッチが操作されると、前記文字列の読み上げを中止する
ことを特徴とする請求項３に記載のテレビ放送受信装置。
【請求項５】
前記文字列読み上げ手段が文字列を読み上げている間に、テレビ放送本体の音声の音量を小さくする音量調整手段を備える
ことを特徴とする請求項１に記載のテレビ放送受信装置。
【請求項６】
前記文字列読み上げ手段は、前記文字列選択手段で選択された文字列の文字量が所定の値以上である場合に、前記文字列を読み上げる
ことを特徴とする請求項１に記載のテレビ放送受信装置。
【請求項７】
前記画像表示装置に表示される文字列は、テレビ放送の画像信号及び音声信号に重畳して、文字信号を送信する文字放送に係る文字列である
ことを特徴とする請求項１に記載のテレビ放送受信装置。
【請求項８】
画像表示装置に文字列を表示するテレビ放送受信装置を制御するコンピュータにインストールされて、
当該コンピュータを、
ユーザに、前記画像表示装置に表示された文字列の中から、所望の文字列を選択させる文字列選択手段と、
前記文字列選択手段で選択された文字列を読み上げる文字列読み上げ手段として機能させる
ことを特徴とするプログラム。
【発明の詳細な説明】
【技術分野】
【０００１】
本発明は、テレビ放送受信装置及びテレビ放送受信装置を制御するプログラム、特に文字放送を受信するテレビ放送受信装置及びプログラムに関する。
【背景技術】
【０００２】
乗用車に搭載して、車内でテレビ番組を視聴できるようにする車載用テレビ放送受信装置が知られている。また、車載用テレビ放送受信装置に文字放送を受信する機能を備えることも広く行われている（例えば、特許文献１、２）。
【０００３】
文字放送は、通常のテレビ放送に係る映像信号や音声信号に、文字信号を重畳して送信する放送形式であり、車載用テレビ放送受信装置で受信した文字放送に係る文字信号は、文字列の画像に変換されて、画像表示装置に表示される。
【０００４】
【特許文献１】特開２００７−０９６５６９号公報
【特許文献２】特開平５−３００４８４号公報
【発明の開示】
【発明が解決しようとする課題】
【０００５】
しかしながら、車載用テレビ放送受信装置の画像表示装置は家庭用の据え置き型のテレビ放送受信装置の画像表示装置に比べると小型であり、文字放送の出力フォーマットは、家庭用の据え置き型のテレビ放送受信装置の画像表示装置での表示を前提に設定されているので、車載用テレビ放送受信装置の画像表示装置に文字放送に係る文字列を表示しても、判読できないという問題がある。
【０００６】
本発明は、このような背景に鑑みてなされたものであり、画像表示装置に表示された文字列を読み上げて音声出力するテレビ放送受信装置及びプログラムを提供するものである。
【課題を解決するための手段】
【０００７】
本発明のテレビ放送受信装置は、上記の課題を解決するためになされたものであり、画像表示装置に文字列を表示するテレビ放送受信装置において、前記画像表示装置に表示された文字列の中から、所望の文字列を選択させる文字列選択手段と、前記文字列選択手段で選択された文字列を読み上げる文字列読み上げ手段を備えることを特徴とする。
【０００８】
前記画像表示装置は、表示画面を複数の区画に分割して、前記複数の区画にそれぞれ文字列を表示し、前記文字列選択手段は、前記画像表示装置の前記複数の区画の中から、所望の区画をユーザに選択させ、前記文字列読み上げ手段は、前記文字列選択手段で選択された区画に表示された文字列を読み上げるようにしてもよい。
【０００９】
読み上げ開始スイッチを備えて、前記文字列読み上げ手段は、前記読み上げ開始スイッチが操作された場合に、前記文字列の読み上げを開始するようにしてもよい。
【００１０】
前記文字列読み上げ手段は、前記文字列を読み上げている間に、前記読み上げ開始スイッチが操作されると、前記文字列の読み上げを中止するようにしてもよい。
【００１１】
前記文字列読み上げ手段が文字列を読み上げている間に、テレビ放送本体の音声の音量を小さくする音量調整手段を備えるようにしてもよい。
【００１２】
前記文字列読み上げ手段は、前記文字列選択手段で選択された文字列の文字量が所定の値以上である場合に、前記文字列を読み上げるようにしてもよい。
【００１３】
前記画像表示装置に表示される文字列は、テレビ放送の画像信号及び音声信号に重畳して、文字信号を送信する文字放送に係る文字列であってもよい。
【００１４】
本発明のプログラムは、画像表示装置に文字列を表示するテレビ放送受信装置を制御するコンピュータにインストールされて、当該コンピュータを、ユーザに、前記画像表示装置に表示された文字列の中から、所望の文字列を選択させる文字列選択手段と、前記文字列選択手段で選択された文字列を読み上げる文字列読み上げ手段として機能させることを特徴とする。
【発明の効果】
【００１５】
本発明によれば、画像表示装置に表示された文字列を読み上げて音声出力するので、画像表示装置が小型であっても、画像表示装置に表示された文字列の内容を理解することができる。
【発明を実施するための最良の形態】
【００１６】
以下、図面を参照しながら、本発明の実施形態を説明する。
【００１７】
図１に示すように、本実施形態に係るテレビ放送受信装置１は、受信選局部１０、復調部１１、デスクランブラ部１２、デマルチプレクサ部１３、映像信号復号部１４、音声信号復号部１５、データデコーダ部１６、表示映像制御部１７、表示部１８、音声合成処理部１９、再生音声制御部２０、スピーカ２１、リモコン操作部２２及び制御部２３を備える。
【００１８】
受信選局部１０は、テレビ放送受信装置１が受信する複数のテレビ放送信号から、ユーザが選局したテレビ放送信号を抽出し、復調部１１に出力する装置である。
【００１９】
復調部１１は、抽出されたテレビ放送信号を復調して、本来のテレビ放送に係る映像信号のパケットと音声信号のパケット、及び文字放送に係る文字信号等のパケットを生成し、逐次デスクランブラ部１２に送る。なお、ここで、文字放送に係る文字信号等とは、文字放送に係る文字信号と、当該文字信号に係る文字列の表示部１８上での配列等を記述するフォーマット信号、及び当該文字信号に係る文字列とともに表示部１８に表示される画像に係る画像信号の総称である。
【００２０】
デスクランブラ部１２は、暗号解除の処理を行う装置であり、有料番組放送を受信する場合に、暗号化されている映像信号と音声信号の暗号を解除して、デマルチプレクサ部１３に出力する。
【００２１】
デマルチプレクサ部１３は、デスクランブラ部１２を経由して復調部１１から送られた映像信号、音声信号及び文字信号等のパケットを、信号の種類に従って分離して、それぞれ映像信号復号部１４、音声信号復号部１５及びデータデコーダ部１６に出力する装置である。
【００２２】
映像信号復号部１４は、映像信号を復号して、表示映像制御部１７へ出力する。音声信号復号部１５は、音声信号を復号して、再生音声制御部２０へ出力する。また、データデコーダ部１６は、文字信号等を記憶するとともに、制御部２３の命令に従って、記憶された文字信号等を表示映像制御部１７あるいは音声合成処理部１９に出力する装置である。
【００２３】
表示映像制御部１７は、制御部２３の命令に従って、映像信号復号部１４から出力される映像信号、あるいは、データデコーダ部１６から出力される文字信号等を受けて、表示部１８に映像あるいは文字列を表示させる装置である。
【００２４】
表示部１８は、例えば、液晶表示装置等の、公知の画像表示装置である。
【００２５】
音声合成処理部１９は、データデコーダ部１６から出力される文字信号を、音声信号に変換して、再生音声制御部２０に出力する装置である。
【００２６】
再生音声制御部２０は、音声信号復号部１５及び音声合成処理部１９が出力する音声信号の大きさを調整して、スピーカ２１に出力する装置である。
【００２７】
リモコン操作部２２は、ユーザがテレビ放送受信装置１に対して、各種の操作を行うスイッチを備えるリモコン装置である。
【００２８】
制御部２３は、テレビ放送受信装置１を制御するコンピュータである。テレビ放送受信装置１の各種機能は制御部２３にインストールされたプログラムによって、実現される。
【００２９】
前述のフォーマット信号は、表示画面を分割し、文字列を表示する枠を定義する枠定義情報を含み、文字信号は、文字列と、その文字列を表示する枠を特定する情報が記述されている。表示映像制御部１７は、フォーマット信号と文字信号に従って、枠を表示部１８に表示するとともに、文字列を対応する枠内に表示する。図２は、表示映像制御部１７が、文字放送を表示部１８に表示する画像の例である。この例では、フォーマット信号は枠３１〜３３と小枠３４〜３７を定義する枠定義情報を含み、文字信号は、表示対象の枠３１，小枠３４〜３７とその枠内に表示する文字列とを指定する。
【００３０】
図２に示すように、文字放送に係る画像は、３個の枠３１，３２，３３に分割されている。枠３１はこの画像のタイトルを表示する領域を区画し、枠３１の中には、この画像のタイトルである「気象情報」の文字が表示される。また、枠３２及び枠３３は、この画像に含まれる２つのトピックを表示する領域を区画する。更に、枠３２は２個の小枠３４，３５に分割され、小枠３４には、このトピックのタイトルである「関東地方で春一番」の文字列が表示され、小枠３５には、このトピックの詳細な内容を示す文字列が表示されている。同様に、枠３３は２個の小枠３６，３７に分割される。また、これらに加えて、必要な画像（例えば、天気図、写真）を表示することもできる。
【００３１】
ユーザは、リモコン操作部２２を操作して、表示部１８に表示された画像の全体または部分を選択して、その画像に表示された文字列をテレビ放送受信装置１に読み上げさせることができる。なお、画像の選択は、画像全体又は枠３１，３２，３３単位、あるいは、小枠３４〜３７で行い、リモコン操作部２２で、図示しないカーソルを移動して行う。また、画像の選択が入力されると、表示映像制御部１７は、選択された枠３１，３２，３３あるいは、小枠３４〜３７の輪郭線を太線で表示して、その画像が選択されたことをユーザに示す。また、ユーザは自分の意図の通りに画像が選択されたことを確認したら、リモコン操作部２２を操作して、テレビ放送受信装置１に選択された範囲の文字列の読み上げの開始を命じる。
【００３２】
前述したテレビ放送受信装置１の各機能は、制御部２３にインストールされた文字列選択プログラムと文字列読み上げプログラムを実行することにより実現される。図３は、これらのプログラムを実行させたテレビ放送受信装置１の動作手順を説明するフローチャートである。以下、図３を参照しながら、この動作手順及び各プログラムの動作を説明する。
【００３３】
リモコン操作部２２により、文字（データ）放送の受信及び受信チャネルが指定されると、テレビ放送受信装置１は、図２に示すような画像を表示部１８に表示する（ステップＳ１００）。
【００３４】
具体的に説明すると、制御部２３は、受信プログラムを実行することにより、各部にデータ放送受信用の制御信号を送信する。制御部２３の制御に従って、受信選局部１０は、目的局の放送波を受信し、復調部１１に供給する。復調部１１は、受信信号を復調してパケットを再生し、デスクランブル部１２に供給する。デスクランブル部１２は、供給された受信信号がスクランブルされている場合には、パケットを構成するデータをデスクランブルし、デマルチプレクサ部１３に供給する。デマルチプレクサ部１３は、データ放送から復号された文字パケットをデータデコーダ部１６に供給し、制御パケットを制御部２３に供給する。なお、映像パケットと音声パケットは受信信号に含まれていない。
【００３５】
データデコーダ部１６は、デマルチプレクサ部１３から供給されたデータパケットをデコードし、フォーマット信号と文字信号とを復号し、表示映像制御部１７に供給する。
表示映像制御部１７は、データデコーダ部１６から供給されたフォーマット信号と文字信号とから構成される枠及び文字列を展開し、所定位置にカーソルの画像を合成して、表示部１８に表示させる。
このようにして、例えば、図２に例示するようなデータ放送の画像が表示される。
【００３６】
この状態において、任意の文字列を音声出力させたい場合、ユーザは、音声出力させたい文字列が含まれている枠をカーソルで選択する。例えば、リモコン操作部２２のカーソルキー等を操作して、カーソルを目的の枠に移動させる。制御部２３は、カーソル操作に応答して、表示映像制御部１７に、移動後のカーソルの位置を指定する。表示映像制御部１７は、指定された位置にカーソルを移動する。
【００３７】
例えば、図２に示す画像が表示されている場合に、小枠３５内に表示された文字列を選択する場合、ユーザは、リモコン操作部２２で、図示しないカーソルを小枠３５に移動させ、選択（確定）ボタン等を操作する。
制御部２３は、この選択操作を検出し（ステップＳ１０１）、表示映像制御部１７を介して、選択された小枠３５の輪郭線を図４に示すように太線で表示して（ステップＳ１０２）、小枠３５の選択を受け付けたことをユーザに示す。
【００３８】
小枠３５の選択が受け付けられたことを確認したユーザは、リモコン操作部２２の読み上げボタン（図示せず）を押す。制御部２３は、読み上げボタンの押下を検出し（ステップＳ１０３；Ｙｅｓ）、データデコーダ部１６から小枠３５に表示された文字列に係る文字信号を読み出して、音声合成処理部１９に送る。音声合成処理部１９は、供給された文字信号を、音声信号に変換し、再生音声制御部２０を介して、スピーカ２１から音声出力する（ステップＳ１０４）。
このようにして、文字放送に含まれている任意の文字列が、ユーザの選択に応じて、読み上げられる。画面を見なくても、文字列の内容を確認できる。
【００３９】
なお、テレビ放送受信装置１は、本来のテレビ放送と文字放送を同時に受信できる機能を備えることも出来る。この場合、制御部２３は、受信選局部１０に、目的とする局の通常の放送と文字放送とを受信させ、デマルチプレクサ部１３は、映像パケットを映像信号復号部１４に供給し、音声パケットを音声信号復号部１５に供給し、文字パケットをデータデコーダ部１６に供給し、制御パケットを制御部２３に供給する。
【００４０】
映像信号復号部１４は、映像パケットから映像信号を復号し、音声信号復号部１５は、音声パケットから音声信号を復号する。データデコーダ部１６は、データパケットをデコードし、フォーマット信号と文字信号とを復号し、表示映像制御部１７に供給する。
表示映像制御部１７は、映像信号復号部１４から供給された映像信号が定義する映像を展開し、さらに、データデコーダ部１６から供給されたフォーマット信号と文字信号とから構成される枠及び文字列を展開し、これらを合成し、さらに、カーソルの画像を合成して、表示部１８に表示させる。
一方、再生音声制御部２０は、音声パケットから音声を再生し、スピーカ２１から放音する。
文字放送に係る文字列の読み上げを行う場合のユーザの操作と制御部２３の処理とは、上述の例と同様である。
ただし、文字放送に係る文字列の読み上げを行うと、音声信号復号部１５から出力されるテレビ放送の音声と、音声合成処理部１９から出力される文字放送に係る文字列の読み上げの音声が、同時にスピーカ２１から出力されるので、聞き取りにくくなる場合がある。
そこで、通常のテレビ放送と文字放送とを同時に受信している場合、制御部２３は、ユーザがリモコン操作部２２の読み上げボタンを押すと、テレビ放送の音声信号を再生音声制御部２０で小さくするように制御する。
【００４１】
また、文字放送に係る文字列の読み上げの音声が出力されている間に、ユーザがリモコン操作部２２の読み上げボタンを押すと、文字列の読み上げを中止するように構成してもよい。この場合、例えば、制御部２３は、読み上げボタンの操作に応答して、読み上げフラグをセットすると共に読み上げ動作を開始し、読み上げフラグがセットされている状態で読み上げボタンがオンされたときには、読み上げ動作を停止するように構成される。
【００４２】
また、選択された文字列の文字量によって、読み上げることを選択できたり、選択できなかったりしてもよい。例えば、文字量が少ない枠は音声で読み上げなくても、運転中確認できるので読み上げる必要がないためである。
【００４３】
この場合、文字数に予め基準値を設定して制御部２３に登録しておく。制御部２３は、読み上げボタンが操作された時点で、選択された枠内の文字数と基準値とを比較し、文字数が基準値以上の場合は音声で読み上げて、文字数が所定値未満の場合は読み上げを行わない。
【００４４】
なお、画面中に文字情報の枠が一箇所しかない場合は、ユーザの選択は必要なく、音声読み上げボタンが押されると、制御部２３は、文字列を読み上げる。
【００４５】
なお、本実施形態では、文字放送に係る文字列を選択して音声出力する例を示したが、本発明はこのような物に限定されない。テレビ放送受信装置１の表示部１８に表示される文字列は全て、本発明の対象となる。例えば、テレビ放送に含まれている文字列の全部又は一部を、上述と同様の構成及び手法により、選択して、音声で出力するように構成してもよい。
【００４６】
なお、図１に示す回路構成や図３に説明した動作手順等は任意に変更可能である。例えば、図１に示す回路の一部をＣＰＵ(Central Processing Unit）や、ＤＳＰ（Digital Signal Processor）で構成し、回路部をプログラムによる機能ブロックとして構成してもよい。
【００４７】
上記実施形態では、プログラムが、制御部２３等に予め記憶されているものとして説明した。しかし、上述の処理の全部又は一部を実行させるためのプログラムを、ＣＤ−ＲＯＭ（Compact Disk Read-Only Memory)、ＤＶＤ（Digital Versatile Disk)などのコンピュータ読み取り可能な記録媒体に格納して配布し、これを、テレビ放送受信機能を有する装置のコンピュータにインストールし、上述の手段として動作させ、あるいは、上述の工程を実行させてもよい。
【００４８】
さらに、インターネット上のサーバ装置が有するディスク装置等にプログラムを格納しておき、例えば、搬送波に重畳させて、コンピュータにダウンロード等してプログラムを実行してもよい。
【図面の簡単な説明】
【００４９】
【図１】本発明の実施形態を示すテレビ放送受信装置の概念的な構成図である。
【図２】文字放送に係る画像を示す図である。
【図３】テレビ放送受信装置の動作の手順の例を示すフローチャートである。
【図４】文字放送に係る画像を示す図である。
【符号の説明】
【００５０】
１      テレビ放送受信装置
１０    受信選局部
１１    復調部
１２    デスクランブラ部
１３    デマルチプレクサ部
１４    映像信号復号部
１５    音声信号復号部
１６    データデコーダ部
１７    表示映像制御部
１８    表示部
１９    音声合成処理部
２０    再生音声制御部
２１    スピーカ
２２    リモコン操作部
２３    制御部
３１    枠
３２    枠
３３    枠
３４    小枠
３５    小枠
３６    小枠
３７    小枠
【図１】
2010087903.tif 000003
【図２】
2010087903.tif 000004
【図３】
2010087903.tif 000005
【図４】
2010087903.tif 000006